(57)【要約】【課題】開閉扉の開放方向を設置場所等に応じて任意に変更することのできる自動販売機の商品取出口構造を提供する。【解決手段】第１の回動規制部材１３を商品取出口１０の下部に着脱自在に取付けて開閉扉１１の下端を第１の回動規制部材の前方及び後方の何れか一方に任意に配置可能に構成したので、開閉扉１１の開放方向を必要に応じて前後方向の何れか一方に設定することができ、自動販売機を設置する環境に応じて開閉扉１１の回動方向を設定することができる。また、商品取出口１０を開放する開閉扉１１の回動方向に拘わらず商品取出口１０の部品を共通化することができ、製造コストの低減を図ることができる。【選択図】図１０
2005250698.tif 000002
【特許請求の範囲】
【請求項１】
商品取出口の上部に上端を回動自在に支持され、前後方向に回動することにより商品取出口を開放する開閉扉と、商品取出口の閉鎖時に開閉扉の下端側が当接することにより開閉扉の前方または後方への回動を規制する回動規制部材とを備えた自動販売機の商品取出口構造において、
前記回動規制部材を着脱自在に設け、
回動規制部材を取外すことにより開閉扉の下端側を回動規制部材の前方及び後方の何れか一方に任意に配置可能に構成した
ことを特徴とする自動販売機の商品取出口構造。
【請求項２】
前記回動規制部材を商品取出口の背面側から着脱自在に固定する固定部材を備えた
ことを特徴とする請求項１記載の商品取出口構造。
【請求項３】
商品取出口の上部に上端を回動自在に支持され、前後方向に回動することにより商品取出口を開放する開閉扉と、商品取出口の閉鎖時に開閉扉の下端側が当接することにより開閉扉の前方または後方への回動を規制する回動規制部材とを備えた自動販売機の商品取出口構造において、
前記開閉扉を着脱自在に設け、
開閉扉を取外すことにより開閉扉の下端側を回動規制部材の前方及び後方の何れか一方に任意に配置可能に構成した
ことを特徴とする自動販売機の商品取出口構造。
【請求項４】
前記開閉扉を商品取出口の背面側から着脱自在に固定する固定部材を備えた
ことを特徴とする請求項３記載の商品取出口構造。
【請求項５】
商品取出口の上部に上端を回動自在に支持され、前後方向に回動することにより商品取出口を開放する開閉扉と、商品取出口の閉鎖時に開閉扉の下端側が当接することにより開閉扉の前方または後方への回動を規制する回動規制部材とを備えた自動販売機の商品取出口構造において、
前記回動規制部材を上下方向に移動自在に設け、
回動規制部材を上下方向の所定位置に移動することにより開閉扉の下端側を回動規制部材の前方及び後方の何れか一方に任意に配置可能に構成した
ことを特徴とする自動販売機の商品取出口構造。
【請求項６】
前記回動規制部材を商品取出口の背面側から上下方向所定位置に固定する固定部材を備えた
ことを特徴とする請求項５記載の自動販売機の商品取出口構造。
【請求項７】
商品取出口の上部に上端を回動自在に支持され、前後方向に回動することにより商品取出口を開放する開閉扉と、商品取出口の閉鎖時に開閉扉の下端側が当接することにより開閉扉の前方または後方への回動を規制する回動規制部材とを備えた自動販売機の商品取出口構造において、
前記開閉扉を上下方向に移動自在に設け、
開閉扉を上下方向の所定位置に移動することにより開閉扉の下端側を回動規制部材の前方及び後方の何れか一方に任意に配置可能に構成した
ことを特徴とする自動販売機の商品取出口構造。
【請求項８】
前記開閉扉を商品取出口の背面側から上下方向所定位置に固定する固定部材を備えた
ことを特徴とする請求項７記載の自動販売機の商品取出口構造。
【発明の詳細な説明】
【技術分野】
【０００１】
本発明は、ビン、缶またはペットボトル入り飲料等の商品を販売する自動販売機の商品取出口構造に関するものである。
【背景技術】
【０００２】
従来、この種の自動販売機の商品取出口構造としては、商品取出口の上部に上端を回動自在に支持され、商品取出口を開閉する開閉扉を備え、商品取出口の後方の内扉に設けられた商品搬出口から商品取出口内に商品が搬出されると、利用者が商品取出口を開放して商品を取出すようにしたものが知られている（例えば、特許文献１参照）。
【０００３】
ところで、前記商品取出口構造では、開閉扉を前後方向一方に回動することにより商品取出口を開放するとともに、前後方向他方への開閉扉の回動は商品取出口の下端によって規制されるようになっている。しかし、開閉扉を前方に回動することにより商品取出口を開放するものでは、開閉扉の下端が商品取出口の外部に位置することにより、雨水、雪及び塵埃の商品取出口内への侵入を防止することはできるが、商品を取出す際に開閉扉を前方に回動する動作が必要となるため、商品を取出しにくいという欠点がある。また、開閉扉を後方に回動することにより商品取出口を開放するものでは、商品を取出す際に手を商品取出口内に挿入することにより容易に商品を取出すことができるが、開閉扉の下端が商品取出口の内部に位置するようになっているため、雨水、雪及び塵埃の商品取出口内への侵入を防止することができないという欠点がある。
【０００４】
そこで、例えば自動販売機を屋外で使用する場合には開閉扉を前方に回動して商品取出口を開放するようにしたものを設置し、屋内で使用する場合には開閉扉を後方に回動して商品取出口を開放するようにしたものを設置している。
【特許文献１】実公平７−５１６６３号公報
【発明の開示】
【発明が解決しようとする課題】
【０００５】
しかしながら、前記自動販売機では、設計及び製造時に開閉扉の開放方向が決められており、自動販売機を設置した後に開閉扉の開放方向を変更することができないという問題点があった。
【０００６】
本発明は前記問題点に鑑みてなされたものであり、その目的とするところは、開閉扉の開放方向を設置場所等に応じて任意に変更することのできる自動販売機の商品取出口構造を提供することにある。
【課題を解決するための手段】
【０００７】
本発明は前記目的を達成するために、商品取出口の上部に上端を回動自在に支持され、前後方向に回動することにより商品取出口を開放する開閉扉と、商品取出口の閉鎖時に開閉扉の下端側が当接することにより開閉扉の前方または後方への回動を規制する回動規制部材とを備えた自動販売機の商品取出口構造において、前記回動規制部材を着脱自在に設け、回動規制部材を取外すことにより開閉扉の下端側を回動規制部材の前方及び後方の何れか一方に任意に配置可能に構成している。
【０００８】
また、本発明では、商品取出口の上部に上端を回動自在に支持され、前後方向に回動することにより商品取出口を開放する開閉扉と、商品取出口の閉鎖時に開閉扉の下端側が当接することにより開閉扉の前方または後方への回動を規制する回動規制部材とを備えた自動販売機の商品取出口構造において、前記開閉扉を着脱自在に設け、開閉扉を取外すことにより開閉扉の下端側を回動規制部材の前方及び後方の何れか一方に任意に配置可能に構成している。
【０００９】
また、本発明では、商品取出口の上部に上端を回動自在に支持され、前後方向に回動することにより商品取出口を開放する開閉扉と、商品取出口の閉鎖時に開閉扉の下端側が当接することにより開閉扉の前方または後方への回動を規制する回動規制部材とを備えた自動販売機の商品取出口構造において、前記回動規制部材を上下方向に移動自在に設け、回動規制部材を上下方向の所定位置に移動することにより開閉扉の下端側を回動規制部材の前方及び後方の何れか一方に任意に配置可能に構成している。
【００１０】
また、本発明では、商品取出口の上部に上端を回動自在に支持され、前後方向に回動することにより商品取出口を開放する開閉扉と、商品取出口の閉鎖時に開閉扉の下端側が当接することにより開閉扉の前方または後方への回動を規制する回動規制部材とを備えた自動販売機の商品取出口構造において、前記開閉扉を上下方向に移動自在に設け、開閉扉を上下方向の所定位置に移動することにより開閉扉の下端側を回動規制部材の前方及び後方の何れか一方に任意に配置可能に構成している。
【００１１】
これにより、開閉扉の下端が回動規制部材の前方及び後方の何れか一方に任意に配置されることから、開閉扉の開放方向が必要に応じて任意に設定される。
【発明の効果】
【００１２】
本発明によれば、開閉扉の開放方向を必要に応じて前後方向の何れか一方に配置することができるので、自動販売機を設置する環境に応じて開閉扉の開放方向を設定することができる。また、開閉扉の開放方向に拘わらず商品取出口の部品を共通化することができ、製造コストの低減を図ることができる。
【発明を実施するための最良の形態】
【００１３】
図１乃至図１０は本発明の第１の実施形態を示すもので、図１は本発明の商品取出口を備えた自動販売機の斜視図、図２はその側面断面図、図３及び図４は開閉扉が前方に回動することにより商品取出口を開放する商品取出口の斜視図、図５はその側面断面図、図６及び図７は開閉扉が後方に回動することにより商品取出口を開放する商品取出口の斜視図、図８はその側面断面図、図９は商品取出口の分解斜視図、図１０は開閉扉の回動方向を変更する動作を示す側面断面図である。
【００１４】
この自動販売機は自動販売機本体１の前面を開口し、その前面開口部を外扉２によって開閉するようになっている。外扉２の前面には商品サンプル２ａ、商品選択スイッチ２ｂ、金額表示部２ｃ、硬貨投入口２ｄ、紙幣投入口２ｅ、返却レバー２ｆ及び硬貨返却口２ｇが設けられている。自動販売機本体１内には断熱材によって囲まれた商品収納庫３が設けられ、その内部には周知の構造からなるサーペンタイン式の商品収納コラム４が複数設けられている。また、商品収納庫３の前面は断熱材から形成された内扉５によって覆われるとともに、その下部には商品搬出口５ａが設けられ、商品搬出口５ａには上端を回動自在に支持された搬出扉５ｂが設けられている。更に、商品収納庫３の内の底面側には冷却器６及び送風機７が設けられている。
【００１５】
前記自動販売機に備えられた商品取出口構造は、利用者が商品Ａを取出す商品取出口１０と、商品取出口１０を開閉する開閉扉１１と、開閉扉１１を幅方向両端側から支持する幅方向一対の支持部材１２と、商品取出口１０の閉鎖状態において開閉扉の回動方向を規制する回動規制部材としての第１の回動規制部材１３と、前方に回動して商品取出口１０を開放する開閉扉１１の前方への回動を規制する第２の回動規制部材１４と、搬出された商品Ａを受容する商品受容部１５とから構成されている。
【００１６】
商品取出口１０は、外扉２の下部を横長矩形状に開口することにより設けられ、商品搬出口５ａの前方に位置するようになっている。
【００１７】
開閉扉１１は、透明樹脂から形成された横長矩形状の部材からなり、開閉扉１１の幅方向両端側の上部には互いに軸芯が一致する軸方向一対の円柱状の支軸１１ａが開閉扉１１と一体に形成されている。また、開閉扉１１の幅方向略中央部には、支軸１１ａの軸芯と一致する支軸１１ｂが設けられ、支軸１１ｂを介して開閉扉１１が回動自在に設けられた連結部材１１ｃが連結されている。開閉扉１１は、連結部材１１ｃを外扉２側に固定するとともに、支持部材１２に支軸１１ａを介して回動自在に連結されることにより、開閉扉１１が前方または後方に回動して商品取出口１０を開放するようになっている。
【００１８】
各支持部材１２は、商品取出口１０の幅方向両端側に位置する外扉２の前面側に上下方向に延びるように設けられ、各支持部材１２が対向する側面に設けられた軸受部１２ａによって開閉扉１１の支軸１１ａを回動自在に支持するようになっている。また、一方の支持部材１２には開閉扉１１の回動に対して回動抵抗を付与する制動器１２ｂが設けられ、制動器１２ｂと開閉扉１１の支軸１１ａが連結するようになっている。
【００１９】
第１の回動規制部材１３は商品取出口１０の下端側の幅方向に亘って設けられ、その上端側には開閉扉１１の下端の前面側または背面側が当接することによって、開閉扉１１の回動方向を規制する規制部１３ａが設けられている。また、第１の回動規制部材１３の背面側には外扉２に第１の回動規制部材１３を取付ける取付板１３ｂが設けられ、取付板１３ｂに幅方向に間隔をおいて設けられた複数の取付孔１３ｃにそれぞれ固定部材としての取付ネジ１３ｄを螺合することよって外扉２側に設けられたそれぞれの取付孔２ｈに着脱自在に固定されるようになっている。更に、第１の回動規制部材１３の下端側には各支持部材１２の下端側の幅方向断面と同一の形状になるような化粧部材１３′が取付けられている。
【００２０】
第２の回動規制部材１４は、商品取出口１０の上端側に商品取出口１０の幅方向に亘って設けられ、連結部材１１ｃと共に外扉２側に固定されている。また、第２の回動規制部材１４は開閉扉１１が前方に回動して商品取出口１０を開放するときに開閉扉１１の前面上部が当接することにより開閉扉１１の回動を規制するようになっている。
【００２１】
商品受容部１５は、商品取出口１０内の下部に設けられ、前端側及び後端側を上方に屈曲することにより設けられた受容板１５ａを外扉２に固定することにより形成されている。また、搬出された商品Ａを受容する際に生ずる衝撃を緩和するために、商品受容部１５の前後方向略中央部にはポリウレタンフォーム等のクッション材１５ｂが設けられるとともに、前端側及び後端側が受容板１５ａの前端側及び後端側に支持されたシート状部材１５ｃにより受容板１５ａ及びクッション材１５ｂが覆われている。
【００２２】
以上のように構成された自動販売機においては、利用者が硬貨投入口２ｄまたは紙幣投入口２ｅに金銭を投入し、任意の商品選択スイッチ２ｂを押圧すると、その商品選択スイッチ２ｂに対応する商品収納コラム４内の商品Ａが落下搬出され、商品搬出口５ａの搬出扉５ｂが商品Ａによって押開けられて商品Ａが商品受容部１５に搬出される。ここで、図５に示すように、開閉扉１１の下端が第１の回動規制部材１３の規制部１３ａの前面側に位置しているときに商品Ａを取出す場合には、利用者が開閉扉１１を前方に回動することにより商品取出口１０が開放され、商品Ａを取出すことができる。このとき、開閉扉１１の回動は制動器１２ｂによって回動抵抗が付与されているので、利用者は一方の手で商品取出口１０を開放し、商品取出口１０が開放している間に一方の手で商品Ａを取出すことができる。また、図８に示すように、開閉扉１１の下端が第１の回動規制部材１３の規制部１３ａの背面側に位置しているときに商品Ａを取出す場合は、利用者が開閉扉１１を押開けることにより商品取出口１０が開放され、商品Ａを取出すことができる。このとき、開閉扉１１の下端は規制部１３ａによって商品取出口１０を開放する開閉扉１１の回動方向が規制されているので、設定された開閉扉１１の開放方向と逆方向に開閉扉１１が商品取出口１０を開放することはない。
【００２３】
次に、商品取出口１０を開放する開閉扉１１の回動方向を変更する場合は、まず、取付ネジ１３ｄを取外すことにより第１の回動規制部材１３を取外し、図１０に示すように、開閉扉１１を前方または後方に回動させた状態で取付孔１３ｃに外扉２側に設けられたの取付孔２ｈと共に取付ネジ１３ｄを螺合して再び第１の回動規制部材１３を固定することにより開閉扉１１の回動方向を変更することができる。
【００２４】
このように、本実施形態の自動販売機の商品取出口構造によれば、第１の回動規制部材１３を商品取出口１０の下部に着脱自在に取付けて開閉扉１１の下端を第１の回動規制部材の前方及び後方の何れか一方に任意に配置可能に構成したので、開閉扉１１の開放方向を必要に応じて前後方向の何れか一方に設定することができ、自動販売機を設置する環境に応じて開閉扉１１の回動方向を設定することができる。また、商品取出口１０を開放する開閉扉１１の回動方向に拘わらず商品取出口１０の部品を共通化することができ、製造コストの低減を図ることができる。
【００２５】
また、第１の回動規制部材１３を商品取出口の背面側から取付ネジ１３ｄを螺合することによって着脱するようにしたので、取付ネジ１３ｄが外部に露出することなく第１の回動規制部材１３を着脱自在に取付けることができ、外扉２の前面の美観を向上させることができる。
【００２６】
尚、前記実施形態では、第１の回動規制部材１３の取付孔１３ｃに外扉２の背面側から取付ネジ１３ｄを螺合することにより第１の回動規制部材１３を固定するようにしたものを示したが、図１１乃至図１３に示すように、外扉２側に設けられた取付孔２ｈの下部に取付ネジ１３ｄの頭部を挿通可能な孔２ｉを設け、第１の規制部１３の取付孔１３ｃと取付ネジ１３ｄの頭部との間を所定の間隔をおいて螺合された状態で孔２ｉに取付ネジ１３ｄの頭部を挿通し、第１の回動規制部材１３を上方に押し上げた状態で取付ネジ１３ｄを締結するようにして、第１の回動規制部材１３を固定するようにしてもよい。この場合、第１の回動規制部材１３を取付ける場合に、第１の回動規制部材１３を外扉２の前面の取付位置で保持しながら、外扉２の背面側から取付ネジ１３ｄを取付ける作業を行う必要がないので、開閉扉１１の回動方向を変更する作業を容易に行うことができる。
【００２７】
また、図１４乃至図１７に示すように、第１の回動規制部材１３の背面側の部材を背面側に切り起こすことにより係止片１３ｅを形成するとともに、係止片１３ｅの位置に対応する外扉２側に係止片１３ｅの上下方向の寸法よりも長いスリット２ｊを上下方向に延びるように形成し、係止片１３ｅの略中央部に設けられた孔１３ｆに外扉２の背面側の側面から固定部材１３ｇを着脱自在に挿通することにより第１の回動規制部材１３を外扉２側に固定するようにしてもよい。この場合、第１の回動規制部材１３を取外すことなく、下方にスライドさせるのみで開閉扉１１の回動方向を変更することができ、開閉扉１１の回動方向を変更する作業をより容易に行うことができる。
【００２８】
図１８乃至図１９は本発明の第２の実施形態を示すもので、図１８は商品取出口の分解斜視図、図１９は開閉扉の回動方向を変更する動作を示す側面断面図である。尚、前記第１の実施形態と同等の構成部分には同一の符号を付して示す。
【００２９】
本発明の自動販売機の商品取出口構造は、一方の支持部材１２、第２の回動規制部材１４及び開閉扉１１が外扉２側に設けられた孔２ｋ，２ｌに一方の支持部材１２及び第２の回動規制部材１４に設けられた取付孔１２ｃ，１４ａに取付ネジ１２ｄ，１４ｂを螺合することによって着脱自在に設けられている。
【００３０】
以上のように構成された自動販売機の商品取出口構造において、商品取出口１０を開放する開閉扉１１の回動方向を変更する場合は、まず、取付ネジ１２ｄ，１４ｂを取外すことにより一方の支持部材１２、第２の回動規制部材１４及び開閉扉１１を取外す。次に、開閉扉１１を前方または後方に回動させた状態で他方の支持部材１２に開閉扉１１の支軸１１ａを連結させながら一方の支持部材１２及び第２の回動規制部材１４の取付孔１２ｃ，１４ａに外扉２の背面側から取付ネジ１２ｄ，１４ｂを螺合することによって、再び一方の支持部材１２及び第２の回動規制部材１４を固定して開閉扉１１の回動方向が変更される。
【００３１】
このように、本実施形態の自動販売機の商品取出口構造によれば、一方の支持部材１２、第２の回動規制部材１４及び開閉扉１１を着脱自在に取付けて開閉扉１１の下端を第１の回動規制部材の前方及び後方の何れか一方に任意に配置可能に構成したので、簡単な構造で容易に開閉扉１１の回動する方向を切換えることができ、更に製造コストの低減を図ることができる。
【００３２】
また、一方の支持部材１２、第２の回動規制部材１４及び開閉扉１１を商品取出口の背面側から取付ネジ１２ｄ，１４ｂを螺合することによって着脱するようにしたので、取付ネジ１２ｄ，１４ｂを外部に露出させることなく一方の支持部材１２、第２の回動規制部材１４及び開閉扉１１を着脱自在に取付けることができ、外扉２の前面の美観を向上させることができる。
【００３３】
尚、前記実施形態では、一方の支持部材１２、第２の回動規制部材１４及び開閉扉１１を外扉２の背面側から取付ネジ１２ｄ，１４ｂを螺合することにより一方の支持部材１２及び第２の回動規制部材１４を固定するようにしたものを示したが、第１の実施形態と同様に、一対の支持部材１２及び第２の回動規制部材１４を外扉２に設けた孔に取付け、各孔の上部に取付ネジの頭部を挿通可能な孔を設け、一対の支持部材１２及び第２の規制部材１４の取付孔と取付ネジの頭部との間を所定の間隔をおいて螺合された状態で外扉２に設けられた孔に取付ネジの頭部を挿通し、一対の支持部材１２、第２の回動規制部材１４及び開閉扉１１を下方に移動した状態で取付ネジを締結するようにして固定するようにしてもよい。この場合、一方の支持部材１２、第２の回動規制部材１４及び開閉扉１１を取付ける場合に、一方の支持部材１２、第２の回動規制部材１４及び開閉扉１１を外扉２の前面の取付位置で保持しながら、外扉２の背面側から取付ネジを取付ける作業を行う必要がないので、開閉扉１１の回動方向を変更する作業を容易に行うことができる。
【００３４】
また、第１の実施形態と同様に、一対の支持部材１２及び第２の回動規制部材１４の背面側の部材を背面側に切り起こすことにより係止片を形成するとともに、係止片の位置に対応する外扉２側に係止片の上下方向の寸法よりも長い上下方向に延びるスリットと、スリットの背面下部側の幅方向両側に設けられた固定片を形成し、係止片及び固定片の略中央部に設けられた各孔に外扉２の背面側の側面から固定部材を着脱自在に挿通することにより第１の回動規制部材１４を外扉２側に固定するようにしてもよい。この場合、一対の支持部材１２、第２の回動規制部材１４及び開閉扉１１を取外すことなく、上方にスライドさせるのみで開閉扉１１の開放方向を変更することができ、開閉扉１１の開放方向を変更する作業をより容易に行うことができる。
【図面の簡単な説明】
【００３５】
【図１】本発明の第１の実施形態を示す商品取出口が備えられた自動販売機の斜視図
【図２】自動販売機の側面断面図
【図３】開閉扉を前方に回動することにより商品取出口を開放する商品取出口の斜視図
【図４】商品取出口を開放した状態を示す商品取出口の斜視図
【図５】開閉扉を前方に回動することにより商品取出口を開放する商品取出口の側面断面図
【図６】開閉扉を後方に回動することにより商品取出口を開放する商品取出口の斜視図
【図７】商品取出口を開放した状態を示す商品取出口の斜視図
【図８】開閉扉を後方に回動することにより商品取出口を開放する商品取出口の側面断面図
【図９】商品取出口の分解斜視図
【図１０】商品取出口の分解側面断面図
【図１１】第１の回動規制部材を着脱する他の方法を示す商品取出口の側面断面図
【図１２】第１の回動規制部材を着脱する他の方法を示す要部斜視図
【図１３】第１の回動規制部材を着脱する他の方法を示す要部斜視図
【図１４】第１の回動規制部材を着脱する他の方法を示す商品取出口の側面断面図
【図１５】第１の回動規制部材を着脱する他の方法を示す要部斜視図
【図１６】第１の回動規制部材を着脱する他の方法を示す要部斜視図
【図１７】第１の回動規制部材を着脱する他の方法を示す要部斜視図
【図１８】本発明の第２の実施形態を示す商品取出口の分解斜視図
【図１９】商品取出口の側面断面図
【符号の説明】
【００３６】
１０…商品取出口、１１…開閉扉、１３…第１の回動規制部材。
【図１】
2005250698.tif 000003
【図２】
2005250698.tif 000004
【図３】
2005250698.tif 000005
【図４】
2005250698.tif 000006
【図５】
2005250698.tif 000007
【図６】
2005250698.tif 000008
【図７】
2005250698.tif 000009
【図８】
2005250698.tif 000010
【図９】
2005250698.tif 000011
【図１０】
2005250698.tif 000012
【図１１】
2005250698.tif 000013
【図１２】
2005250698.tif 000014
【図１３】
2005250698.tif 000015
【図１４】
2005250698.tif 000016
【図１５】
2005250698.tif 000017
【図１６】
2005250698.tif 000018
【図１７】
2005250698.tif 000019
【図１８】
2005250698.tif 000020
【図１９】
2005250698.tif 000021